(57)【要約】  【課題】ＩＣカードとリーダライタとの間の通信可能距離を拡大することの可能なＩＣカード電力制御方法及びＩＣカードの提供。  【解決手段】内部にＩＣチップ１を有して、リーダライタβの発する磁界によりアンテナ部２にて誘起される電圧から電源電圧３ａの出力を行う電源部３と、補助電源電圧４ａの充放電を適宜切り替え可能に構成された補助電源部４とからの電力をＩＣチップ１に供給するための切り替え制御をなすスイッチ手段５を用いて、ＩＣチップ１を動作させアンテナ部２を介してリーダライタβとの間で通信可能に構成されたＩＣカードαであって、リーダライタβから発せられる磁界を継続的に検知する磁界検出部６と、磁界の磁界強度が予め設定された値を超えたか否かを判定して、当該判定に基づきスイッチ手段５に対して制御信号７ａ，７ｂを発信する機能手段とを具備したスイッチ制御部７とを有する特徴的構成手段の採用。  【選択図】図１
2005050130.tif 000002
【特許請求の範囲】
【請求項１】
内部にＩＣチップを有するＩＣカードと、磁界を発生して当該ＩＣカードと通信可能に構成されたリーダライタとの間で通信を行うのに伴い、当該リーダライタの発する当該磁界により誘起される電圧から電源電圧を出力する電源部と補助電源電圧の充放電を適宜切り替え可能に構成された補助電源部とにより電圧を供給し、前記ＩＣチップを動作させて当該通信を行うためのＩＣカード電力制御方法であって、
前記ＩＣカードにおいて、
前記リーダライタから発せられる前記磁界を継続的に検知し、
当該磁界の磁界強度が予め設定された値を超えたか否かを判定して、
当該磁界強度が当該予め設定された値を超えたときには、
前記ＩＣチップに対して一次的に前記補助電源部から前記補助電源電圧の放電を開始して当該ＩＣチップを動作させ、
その後、前記電源電圧がＩＣチップ動作可能電圧に達したときには、
二次的に当該電源部から当該電源電圧を供給する、
ことを特徴とするＩＣカード電力制御方法。
【請求項２】
前記磁界の継続的な検知は、
当該磁界により誘起される電圧により前記磁界強度に対応する検出電圧を出力して、
当該検出電圧を継続的に計測することで、前記ＩＣカードと前記リーダライタとの間の距離に基づき変化する当該磁界の検知を行う、
ことを特徴とする請求項１に記載のＩＣカード電力制御方法。
【請求項３】
前記磁界の前記磁界強度が予め設定された値を超えたか否かの判定は、
当該磁界強度に対応して出力された前記検出電圧が、前記ＩＣカードと前記リーダライタとの間の距離に基づき予め任意に設定された動作開始検出電圧を超えたか否かにより判定する、
ことを特徴とする請求項２に記載のＩＣカード電力制御方法。
【請求項４】
前記電源電圧の供給は、
継続的に行う前記検出電圧の計測とともに、前記補助電源電圧の計測を継続的に行い、
当該検出電圧の値を前記電源部において出力可能な前記電源電圧の値と対応させて、
前記磁界により誘起される電圧により当該電源部から出力可能となった当該電源電圧が、当該補助電源電圧の値に基づき予め設定された前記ＩＣチップ動作可能電圧を満たすときに、
当該電源電圧の供給を行う、
ことを特徴とする請求項２又は３に記載のＩＣカード電力制御方法。
【請求項５】
前記電源電圧の供給は、
当該電源電圧が、前記補助電源電圧の値に基づき予め設定された前記ＩＣチップ動作可能電圧としての前記補助電源電圧以上であるか事前に判定して、
当該判定を満たしたときに、
当該電源電圧の供給を開始する、
ことを特徴とする請求項４に記載のＩＣカード電力制御方法。
【請求項６】
前記電源電圧の供給は、
前記ＩＣカードと前記リーダライタとの間の距離が、前記ＩＣチップ動作可能電圧に達した距離よりもさらに接近して、前記電源部において、当該電源電圧のうち、前記ＩＣチップの動作により消費される当該ＩＣチップ動作可能電圧以上の余剰電圧が発生したときには、
当該余剰電圧を前記補助電源部に供給して、
当該余剰電圧により当該補助電源部を充電する、
ことを特徴とする請求項４又は５に記載のＩＣカード電力制御方法。
【請求項７】
前記補助電源部の充電は、
前記電源部から前記余剰電圧が供給されたときには、
前記ＩＣチップへの前記補助電源電圧の放電とともに、
当該余剰電圧による充電を合せ行う、
ことを特徴とする請求項６に記載のＩＣカード電力制御方法。
【請求項８】
前記電源電圧の供給は、
前記電源電圧が、前記補助電源電圧を下回ると、
前記電源部において、当該電源電圧の供給を停止する、
ことを特徴とする請求項４、５、６又は７に記載のＩＣカード電力制御方法。
【請求項９】
ＩＣチップは、
当該ＩＣチップの所定の処理が終了した後には、ＩＣチップ処理終了の旨を通知する信号を発信する一方、
前記補助電源部は、
当該ＩＣチップ処理終了の信号に基づき、当該ＩＣチップへの当該補助電源電圧の放電を停止する、
ことを特徴とする請求項４、５、６、７又は８に記載のＩＣカード電力制御方法。
【請求項１０】
内部にＩＣチップを有して、リーダライタの発する磁界によりアンテナ部にて誘起される電圧により電源電圧を出力する電源部からの電力の供給と、補助電源電圧の充放電を適宜切り替え可能に構成された補助電源部からの電力の放電とを当該ＩＣチップに供給するための切り替え制御をなすスイッチ手段を用いて、当該ＩＣチップを動作させ当該アンテナ部を介して当該リーダライタとの間で通信可能に構成されたＩＣカードであって、
前記ＩＣカードに、
前記リーダライタから発せられる前記磁界を継続的に検知する磁界検出部と、
前記磁界の磁界強度が予め設定された値を超えたか否かを判定する機能手段と、当該判定に基づき前記スイッチ手段に対して制御信号を発信する機能手段とを具備したスイッチ制御部とを有し、
当該制御信号を発信する機能手段は、
前記補助電源部から前記ＩＣチップの電源端子に向けて前記補助電源電圧の放電のＯＮ／ＯＦＦを切り替える放電信号の発信と、当該電源部から当該ＩＣチップの当該電源端子への当該電源電圧の供給のＯＮ／ＯＦＦを切り替える充電信号とを発信可能な機能手段を具備し、
前記スイッチ手段は、
前記ＩＣチップに電力供給が開始される以前には、前記電源部と前記補助電源部と前記ＩＣチップの前記電源端子との接続を切断するＯＦＦ状態により前記制御信号を待機するよう機能構成する、
ことを特徴とするＩＣカード。
【請求項１１】
前記スイッチ手段は、
前記補助電源部と前記ＩＣチップの前記電源端子との間に配置されて、
前記スイッチ制御部からＯＮを指示する前記放電信号を受信した際には、前記ＩＣチップの前記電源端子との接続を行う機能手段と、
当該スイッチ制御部からＯＦＦを指示する前記放電信号を受信した際には、当該ＩＣチップの前記電源端子との接続を切断する機能手段と、を具備する放電側スイッチを有する、
ことを特徴とする請求項１０に記載のＩＣカード。
【請求項１２】
前記スイッチ手段は、
前記電源部と前記補助電源部と前記放電側スイッチとの間に配置されて、
前記スイッチ制御部からＯＮを指示する前記充電信号を受信した際には、前記放電側スイッチとの接続を行う機能手段と、
当該スイッチ制御部からＯＦＦを指示する前記充電信号を受信した際には、当該放電側スイッチとの接続を切断する機能手段と、を具備する充電側スイッチを有する、
ことを特徴とする請求項１１に記載のＩＣカード。
【請求項１３】
前記磁界検出部は、
前記磁界により前記アンテナ部にて誘起される電圧により前記磁界強度に対応する検出電圧を前記スイッチ制御部に出力する機能手段を具備する、
ことを特徴とする請求項１０、１１又は１２に記載のＩＣカード。
【請求項１４】
前記スイッチ制御部は、
前記磁界検出部から前記検出電圧を入力計測して、当該検出電圧が、前記ＩＣカードと前記リーダライタとの間の距離に基づき予め任意に設定された動作開始検出電圧を超えたか否かを判定する機能手段を具備する、
ことを特徴とする請求項１３に記載のＩＣカード。
【請求項１５】
前記スイッチ制御部は、
前記磁界検出部より継続的に前記検出電圧を入力計測するとともに、前記補助電源部から前記補助電源電圧を継続的に入力計測する機能手段と、
前記検出電圧の値を前記電源部において出力可能な前記電源電圧の値と対応する機能手段と、
ＯＮを指示する前記放電信号を前記放電側スイッチに発信して、前記ＩＣチップに当該補助電源電圧の放電が開始された後に、当該電源部から出力可能となった当該電源電圧が、当該補助電源電圧の値に基づき予め設定された条件を満たすときには、前記充電側スイッチにＯＮを指示する前記充電信号を発信して当該電源電圧の前記ＩＣチップへの供給を開始させる機能手段とを具備する、
ことを特徴とする請求項１３又は１４に記載のＩＣカード。
【請求項１６】
前記ＯＮを指示する前記充電信号を発信して前記電源電圧の前記ＩＣチップへの供給を開始させる機能手段は、
前記補助電源電圧の値に基づき予め設定された条件として、前記電源部の前記電源電圧が前記補助電源電圧以上であるか事前に判定する機能手段を具備して、
当該判定を満たしたときに、前記充電側スイッチに前記ＯＮを指示する前記充電信号を発信するよう機能構成する、
ことを特徴とする請求項１５に記載のＩＣカード。
【請求項１７】
前記スイッチ制御部は、
前記ＩＣカードと前記リーダライタとの間の距離が、前記ＩＣチップ動作可能電圧に達した距離よりもさらに接近して、前記電源部の前記電源電圧のうち、前記ＩＣチップの動作により消費される当該ＩＣチップ動作可能電圧以上の余剰電圧が発生したときに、当該ＩＣチップ動作可能電圧を前記充電側スイッチと前記放電側スイッチとを経由させて当該ＩＣチップに引続き供給するとともに、当該余剰電圧を当該充電側スイッチを経由させて前記補助電源部に供給して、当該余剰電圧により当該補助電源部を充電可能とする前記充電信号を前記充電側スイッチに発信する機能手段を具備する、
ことを特徴とする請求項１５又は１６に記載のＩＣカード。
【請求項１８】
前記スイッチ制御部は、
前記補助電源部が前記電源部からの前記余剰電圧により充電されるときに、当該余剰電圧による当該補助電源部の充電とともに、前記ＩＣチップの前記電源端子へ前記補助電源電圧を放電可能とする前記放電信号を前記放電側スイッチに保持する機能手段を具備する、
ことを特徴とする請求項１７に記載のＩＣカード。
【請求項１９】
前記スイッチ制御部は、
前記電源部の前記電源電圧が、前記補助電源部の前記補助電源電圧を下回ったときに、当該電源部からの当該電源電圧の供給を停止するよう前記充電側スイッチにＯＦＦを指示する前記充電信号を発信する機能手段を具備する、
ことを特徴とする請求項１５、１６、１７又は１８に記載のＩＣカード。
【請求項２０】
前記スイッチ制御部は、
前記ＩＣチップから、当該ＩＣチップの所定の処理が終了した際に発信されたＩＣチップ処理終了信号を受信する機能手段と、
当該ＩＣチップ処理終了信号の受信に基づき、前記放電側スイッチに、前記補助電源部からの前記補助電源電圧の前記ＩＣチップの前記電源端子への放電を停止させるＯＦＦを指示する前記放電信号を発信する機能手段とを具備する、
ことを特徴とする請求項１５、１６、１７、１８又は１９に記載のＩＣカード。
【発明の詳細な説明】
【技術分野】
【０００１】
本発明は、ＩＣカード電力制御方法及びＩＣカードに関し、（ＩＣ：集積回路）、詳しくは、内部にＩＣチップを有するＩＣカードと、磁界を発生してこのＩＣカードと通信可能に構成されたリーダライタとの間で通信を行うのに伴い、リーダライタの発する磁界により誘起される電圧により電源電圧を出力する電源部と補助電源電圧の充放電を適宜切り替え可能に構成された補助電源部とによるＩＣチップへの最適な電圧の供給を行うためのＩＣカード電力制御方法、及びその実施に直接使用するＩＣカードに係わる。
【背景技術】
【０００２】
近年、非接触型方式を採用するＩＣカードは、鉄道改札などの交通分野をはじめとしてその利用が拡大している。ここでは、スムーズなサービス利用を実現するために、特に処理の高速性、確実性が要求されている。そのため、ＩＣカードを用いたサービスでは、リーダライタにおけるＩＣカードの確実な捕捉、十分な通信可能距離の確保が要求される。
【０００３】
一方、ＩＣカードを用いたサービスでは、安全性やサービス性も要求されるものであるが、このためにはＩＣカード上で複雑な処理を行う必要があるために、ＩＣカード上に大きな電力の供給が必要であり、必然的に電力を必要とする。例えば、電磁誘導方式を採用して、リーダライタから発する磁界から供給する場合、ＩＣカードとリーダライタとの間の通信可能距離が短くなる。
【０００４】
この相反する要求に応えるために、例えば、ＩＣカード内にコンデンサ等の補助電源を持つことが提案されている。この手法により、ＩＣカード内部にコンデンサ等の補助電源を具備し、このＩＣカードとリーダライタとの間の通信処理中に、何らかの理由によりリーダライタからの電力供給が途絶えてもこの補助電源を使用して処理を継続し、確実な動作を保障するものである。
【０００５】
なお、上記従来の補助電源を備えたＩＣカードの詳細については、下記の特許文献１、２及び３に記載されている。
【特許文献１】特開２００１−０６７４４６号公報
【特許文献２】特開２００３−００６５９０号公報
【特許文献３】特開２００３−０７６９６７号公報
【発明の開示】
【発明が解決しようとする課題】
【０００６】
しかしながら、従来の補助電源を具備するＩＣカードでは、リーダライタからの電力供給によりＩＣカード内部にあるＩＣチップが動作するタイミング以降に、二次的に補助電源からの電力がこのＩＣチップに供給されるように電力制御されている。さらには、ＩＣカードをリーダライタに接近させて、このリーダライタが発する磁界により誘起された電力によりＩＣチップを動作させた場合、ＩＣチップが補助電源からの電力供給を受けることができるようになるまでには時間がかかる。
【０００７】
そのため、リーダライタからＩＣカードへの電力の瞬断等、動作中に不意に電力が絶たれた場合に対する確実な動作の実現はできるものであるが、ＩＣカードとリーダライタとの接近距離が不十分な場合に対する確実な動作は実現できず、リーダライタの発する磁界によりＩＣカードが非接触動作を始めた後に補助電源が電力をバックアップするものであるから、非接触動作後の安定動作を実現するものであり、ＩＣカードとリーダライタとの間の通信可能距離を拡大することはできない。
【０００８】
したがって、ＩＣカードをしばらくリーダライタにかざしておかなければ補助電源が機能せず、さらに、従来のＩＣカードの補助電源は、使用毎に放電してしまうため、次回の利用で補助電源として機能させるためにはＩＣカード動作開始後に引続いて充電しなければならないため、特に、鉄道改札のような交通等のサービス用途では、補助電源が期待通りに機能しない可能性があった。
【０００９】
ここにおいて、本発明の解決すべき主要な目的は、次のとおりである。
即ち、本発明の第１の目的は、内部にＩＣチップを有するＩＣカードと、磁界を発生してこのＩＣカードと通信可能に構成されたリーダライタとの間で通信を行うのに伴い、ＩＣカードとリーダライタとの間の通信可能距離を拡大することの可能なＩＣカード電力制御方法及びＩＣカードを提供せんとするものである。
【００１０】
本発明の第２の目的は、ＩＣカードをリーダライタに接近させて動作させるのに伴い、リーダライタからＩＣカードへの電力瞬断や不確実な接近距離に左右されずに安定的に電力を供給してＩＣチップのスムーズな動作を保障することの可能なＩＣカード電力制御方法及びＩＣカードを提供せんとするものである。
【００１１】
本発明の第３の目的は、ＩＣカードとリーダライタとの間で通信を行うにあたり、ＩＣカード内部に具備する補助電源を使用毎に放充電することの可能なＩＣカード電力制御方法及びＩＣカードを提供せんとするものである。
【００１２】
本発明の目的は、明細書、図面、特に特許請求の範囲の各請求項の記載から、自ずと明らかになろう。
【課題を解決するための手段】
【００１３】
まず、本発明方法においては、ＩＣカードにおいて、リーダライタから発せられる磁界を継続的に検知し、当該磁界の磁界強度が予め設定された値を超えたか否かを判定して、当該磁界強度が当該予め設定された値を超えたときには、ＩＣチップに対して補助電源部から補助電源電圧の放電を一次的に開始して当該ＩＣチップを動作させ、その後、電源電圧がＩＣチップ動作可能電圧に達したときには、二次的に当該電源部から当該電源電圧を供給する、という特徴的構成手法を講じる。
【００１４】
一方、本発明装置においては、ＩＣカードに、リーダライタから発せられる前記磁界を継続的に検知する磁界検出部と、磁界の磁界強度が予め設定された値を超えたか否かを判定する機能手段と、当該判定に基づきスイッチ手段に対して制御信号を発信する機能手段とを具備したスイッチ制御部とを有し、当該制御信号を発信する機能手段が、補助電源部からＩＣチップの電源端子に向けて補助電源電圧の放電のＯＮ／ＯＦＦを切り替える放電信号の発信と、当該電源部から当該ＩＣチップの当該電源端子への当該電源電圧の供給のＯＮ／ＯＦＦを切り替える充電信号とを発信可能な機能手段を具備し、スイッチ手段が、ＩＣチップに電力供給が開始される以前には、電源部と補助電源部とＩＣチップの電源端子との接続を切断するＯＦＦ状態により制御信号を待機するよう機能構成されてなる、という特徴的構成手段を講じる。
【００１５】
さらに、具体的詳細に述べると、当該課題の解決では、本発明が次に列挙する上位概念から下位概念に亙る新規な特徴的構成手法及び手段を採用することにより、前記目的を達成するように為される。
【００１６】
即ち、本発明方法の第１の特徴は、内部にＩＣチップを有するＩＣカードと、磁界を発生して当該ＩＣカードと通信可能に構成されたリーダライタとの間で通信を行うのに伴い、当該リーダライタの発する当該磁界により誘起される電圧から電源電圧を出力する電源部と補助電源電圧の充放電を適宜切り替え可能に構成された補助電源部とにより電圧を供給し、前記ＩＣチップを動作させて当該通信を行うためのＩＣカード電力制御方法であって、前記ＩＣカードにおいて、前記リーダライタから発せられる前記磁界を継続的に検知し、当該磁界の磁界強度が予め設定された値を超えたか否かを判定して、当該磁界強度が当該予め設定された値を超えたときには、前記ＩＣチップに対して一次的に前記補助電源部から前記補助電源電圧の放電を開始して当該ＩＣチップを動作させ、その後、前記電源電圧がＩＣチップ動作可能電圧に達したときには、二次的に当該電源部から当該電源電圧を供給してなる、ＩＣカード電力制御方法の構成採用にある。
【００１７】
本発明方法の第２の特徴は、上記本発明方法の第１の特徴における前記磁界の継続的な検知を、当該磁界により誘起される電圧により前記磁界強度に対応する検出電圧を出力して、当該検出電圧を継続的に計測することで、前記ＩＣカードと前記リーダライタとの間の距離に基づき変化する当該磁界の検知を行ってなる、ＩＣカード電力制御方法の構成採用にある。
【００１８】
本発明方法の第３の特徴は、上記本発明方法の第２の特徴における前記磁界の前記磁界強度が予め設定された値を超えたか否かの判定を、当該磁界強度に対応して出力された前記検出電圧が、前記ＩＣカードと前記リーダライタとの間の距離に基づき予め任意に設定された動作開始検出電圧を超えたか否かにより判定してなる、ＩＣカード電力制御方法の構成採用にある。
【００１９】
本発明方法の第４の特徴は、上記本発明方法の第２又は第３の特徴における前記電源電圧の供給を、継続的に行う前記検出電圧の計測とともに、前記補助電源電圧の計測を継続的に行い、当該検出電圧の値を前記電源部において出力可能な前記電源電圧の値と対応させて、前記磁界により誘起される電圧により当該電源部から出力可能となった当該電源電圧が、当該補助電源電圧の値に基づき予め設定された前記ＩＣチップ動作可能電圧を満たすときに、当該電源電圧の供給を行ってなる、ＩＣカード電力制御方法の構成採用にある。
【００２０】
本発明方法の第５の特徴は、上記本発明方法の第４の特徴における前記電源電圧の供給を、当該電源電圧が、前記補助電源電圧の値に基づき予め設定された前記ＩＣチップ動作可能電圧としての前記補助電源電圧以上であるか事前に判定して、当該判定を満たしたときに、当該電源電圧の供給を開始してなる、ＩＣカード電力制御方法の構成採用にある。
【００２１】
本発明方法の第６の特徴は、上記本発明方法の第４又は第５の特徴における前記電源電圧の供給を、前記ＩＣカードと前記リーダライタとの間の距離が、前記ＩＣチップ動作可能電圧に達した距離よりもさらに接近して、前記電源部において、当該電源電圧のうち、前記ＩＣチップの動作により消費される当該ＩＣチップ動作可能電圧以上の余剰電圧が発生したときには、当該余剰電圧を前記補助電源部に供給して、当該余剰電圧により当該補助電源部を充電してなる、ＩＣカード電力制御方法の構成採用にある。
【００２２】
本発明方法の第７の特徴は、上記本発明方法の第６の特徴における前記補助電源部の充電を、前記電源部から前記余剰電圧が供給されたときには、前記ＩＣチップへの前記補助電源電圧の放電とともに、当該余剰電圧による充電を合せ行ってなる、ＩＣカード電力制御方法の構成採用にある。
【００２３】
本発明方法の第８の特徴は、上記本発明方法の第４、第５、第６又は第７の特徴における前記電源電圧の供給を、前記電源電圧が、前記補助電源電圧を下回ると、前記電源部において、当該電源電圧の供給を停止してなる、ＩＣカード電力制御方法の構成採用にある。
【００２４】
本発明方法の第９の特徴は、上記本発明方法の第４、第５、第６、第７又は第８の特徴におけるＩＣチップが、当該ＩＣチップの所定の処理が終了した後には、ＩＣチップ処理終了の旨を通知する信号を発信する一方、前記補助電源部が、当該ＩＣチップ処理終了の信号に基づき、当該ＩＣチップへの当該補助電源電圧の放電を停止してなる、ＩＣカード電力制御方法の構成採用にある。
【００２５】
一方、本発明装置の第１の特徴は、内部にＩＣチップを有して、リーダライタの発する磁界によりアンテナ部にて誘起される電圧により電源電圧を出力する電源部からの電力の供給と、補助電源電圧の充放電を適宜切り替え可能に構成された補助電源部からの電力の放電とを当該ＩＣチップに供給するための切り替え制御をなすスイッチ手段を用いて、当該ＩＣチップを動作させ当該アンテナ部を介して当該リーダライタとの間で通信可能に構成されたＩＣカードであって、前記ＩＣカードに、前記リーダライタから発せられる前記磁界を継続的に検知する磁界検出部と、前記磁界の磁界強度が予め設定された値を超えたか否かを判定する機能手段と、当該判定に基づき前記スイッチ手段に対して制御信号を発信する機能手段とを具備したスイッチ制御部とを有し、当該制御信号を発信する機能手段は、前記補助電源部から前記ＩＣチップの電源端子に向けて前記補助電源電圧の放電のＯＮ／ＯＦＦを切り替える放電信号の発信と、当該電源部から当該ＩＣチップの当該電源端子への当該電源電圧の供給のＯＮ／ＯＦＦを切り替える充電信号とを発信可能な機能手段を具備し、前記スイッチ手段は、前記ＩＣチップに電力供給が開始される以前には、前記電源部と前記補助電源部と前記ＩＣチップの前記電源端子との接続を切断するＯＦＦ状態により前記制御信号を待機するよう機能構成してなる、ＩＣカードの構成採用にある。
【００２６】
本発明装置の第２の特徴は、上記本発明装置の第１の特徴における前記スイッチ手段が、前記補助電源部と前記ＩＣチップの前記電源端子との間に配置されて、前記スイッチ制御部からＯＮを指示する前記放電信号を受信した際には、前記ＩＣチップの前記電源端子との接続を行う機能手段と、当該スイッチ制御部からＯＦＦを指示する前記放電信号を受信した際には、当該ＩＣチップの前記電源端子との接続を切断する機能手段と、を具備する放電側スイッチを有してなる、ＩＣカードの構成採用にある。
【００２７】
本発明装置の第３の特徴は、上記本発明装置の第２の特徴における前記スイッチ手段が、前記電源部と前記補助電源部と前記放電側スイッチとの間に配置されて、前記スイッチ制御部からＯＮを指示する前記充電信号を受信した際には、前記放電側スイッチとの接続を行う機能手段と、当該スイッチ制御部からＯＦＦを指示する前記充電信号を受信した際には、当該放電側スイッチとの接続を切断する機能手段と、を具備する充電側スイッチを有してなる、ＩＣカードの構成採用にある。
【００２８】
本発明装置の第４の特徴は、上記本発明装置の第１、第２又は第３の特徴における前記磁界検出部が、前記磁界により前記アンテナ部にて誘起される電圧により前記磁界強度に対応する検出電圧を前記スイッチ制御部に出力する機能手段を具備してなる、ＩＣカードの構成採用にある。
【００２９】
本発明装置の第５の特徴は、上記本発明装置の第４の特徴における前記スイッチ制御部が、前記磁界検出部から前記検出電圧を入力計測して、当該検出電圧が、前記ＩＣカードと前記リーダライタとの間の距離に基づき予め任意に設定された動作開始検出電圧を超えたか否かを判定する機能手段を具備してなる、ＩＣカードの構成採用にある。
【００３０】
本発明装置の第６の特徴は、上記本発明装置の第４又は第５の特徴における前記スイッチ制御部が、前記磁界検出部より継続的に前記検出電圧を入力計測するとともに、前記補助電源部から前記補助電源電圧を継続的に入力計測する機能手段と、前記検出電圧の値を前記電源部において出力可能な前記電源電圧の値と対応する機能手段と、ＯＮを指示する前記放電信号を前記放電側スイッチに発信して、前記ＩＣチップに当該補助電源電圧の放電が開始された後に、当該電源部から出力可能となった当該電源電圧が、当該補助電源電圧の値に基づき予め設定された条件を満たすときには、前記充電側スイッチにＯＮを指示する前記充電信号を発信して当該電源電圧の前記ＩＣチップへの供給を開始させる機能手段とを具備してなる、ＩＣカードの構成採用にある。
【００３１】
本発明装置の第７の特徴は、上記本発明装置の第６の特徴における前記ＯＮを指示する前記充電信号を発信して前記電源電圧の前記ＩＣチップへの供給を開始させる機能手段が、前記補助電源電圧の値に基づき予め設定された条件として、前記電源部の前記電源電圧が前記補助電源電圧以上であるか事前に判定する機能手段を具備して、当該判定を満たしたときに、前記充電側スイッチに前記ＯＮを指示する前記充電信号を発信するよう機能構成してなる、ＩＣカードの構成採用にある。
【００３２】
本発明装置の第８の特徴は、上記本発明装置の第６又は第７の特徴における前記スイッチ制御部が、前記ＩＣカードと前記リーダライタとの間の距離が、前記ＩＣチップ動作可能電圧に達した距離よりもさらに接近して、前記電源部の前記電源電圧のうち、前記ＩＣチップの動作により消費される当該ＩＣチップ動作可能電圧以上の余剰電圧が発生したときに、当該ＩＣチップ動作可能電圧を前記充電側スイッチと前記放電側スイッチとを経由させて当該ＩＣチップに引続き供給するとともに、当該余剰電圧を当該充電側スイッチを経由させて前記補助電源部に供給して、当該余剰電圧により当該補助電源部を充電可能とする前記充電信号を前記充電側スイッチに発信する機能手段を具備してなる、ＩＣカードの構成採用にある。
【００３３】
本発明装置の第９の特徴は、上記本発明装置の第８の特徴における前記スイッチ制御部が、前記補助電源部が前記電源部からの前記余剰電圧により充電されるときに、当該余剰電圧による当該補助電源部の充電とともに、前記ＩＣチップの前記電源端子へ前記補助電源電圧を放電可能とする前記放電信号を前記放電側スイッチに保持する機能手段を具備してなる、ＩＣカードの構成採用にある。
【００３４】
本発明装置の第１０の特徴は、上記本発明装置の第６、第７、第８又は第９の特徴における前記スイッチ制御部が、前記電源部の前記電源電圧が、前記補助電源部の前記補助電源電圧を下回ったときに、当該電源部からの当該電源電圧の供給を停止するよう前記充電側スイッチにＯＦＦを指示する前記充電信号を発信する機能手段を具備してなる、ＩＣカードの構成採用にある。
【００３５】
本発明装置の第１１の特徴は、上記本発明装置の第６、第７、第８、第９又は第１０の特徴における前記スイッチ制御部が、前記ＩＣチップから、当該ＩＣチップの所定の処理が終了した際に発信されたＩＣチップ処理終了信号を受信する機能手段と、当該ＩＣチップ処理終了信号の受信に基づき、前記放電側スイッチに、前記補助電源部からの前記補助電源電圧の前記ＩＣチップの前記電源端子への放電を停止させるＯＦＦを指示する前記放電信号を発信する機能手段とを具備してなる、ＩＣカードの構成採用にある。
【発明の効果】
【００３６】
本発明によれば、内部にＩＣチップを有するＩＣカードと、磁界を発生してこのＩＣカードと通信可能に構成されたリーダライタとの間で実施する通信を、ＩＣカードをリーダライタに接近させる過程において、ＩＣチップが電源部から動作に必要な電力を得る以遠より、補助電源部から電力供給を得て、リーダライタとの間でアンテナ部を経由した通信及び処理を開始することができ、当該電源電圧のみにより電力を賄う場合と比較してＩＣカードとリーダライタとの間の通信可能距離を拡大することが可能となる。
【００３７】
また、補助電源部を単に電源部のバックアップ電源とするものではなく、電源部の電源電圧がＩＣチップを動作させるのに十分な電圧を維持する前後に亙り補助電源部の補助電源電圧をＩＣチップに放電するものであることから、リーダライタからＩＣカードへの電力瞬断や不確実な接近距離にある場合においても、安定してＩＣチップに電力を供給し続けることが可能となる。
【００３８】
さらに、ＩＣカードがリーダライタに十分接近し、電源部からの電力供給に余裕ができる間、この余剰電力を、補助電源部に充電可能とするもので経済的、効率的であり、また、ＩＣチップからの処理終了信号とともに補助電源部の当該ＩＣチップへの放電を停止することから、補助電源電圧を従前に確保するために、必要以上の充電時間を特別必要とするものではなく、次回のリーダライタとの通信においても、予め補助電源電圧を確保することが可能となる。
【発明を実施するための最良の形態】
【００３９】
以下、本発明の実施の形態につき、添付図面を参照しつつ、その装置例及びこれに対応する方法例を順に説明する。
【００４０】
（装置例）
まず、図１は、本発明の装置例に係るＩＣカードの内部構成図である。
同図に示すように、本装置例に係るＩＣカードαは、その内部に、当該ＩＣカードαの機能構成を得るためのＩＣチップ１と、リーダライタβの発する磁界によりアンテナ部２にて誘起される電圧から電源電圧３ａを出力する電源部３と、補助電源電圧４ａの充放電を適宜切り替え可能に構成された、例えば、電気二重層コンデンサ等の補助電源部４と、電源電圧３ａ及び補助電源電圧４ａとをＩＣチップ１に供給するための切り替え制御をなすスイッチ手段５とを具備する。
【００４１】
ここで、ＩＣチップ１は、アンテナ部２を介してリーダライタβと相互に送受信可能な送受信機能手段を具備して構成されて、例えば、ＩＣチップ１は、リーダライタβに向けて受信信号及び送信信号をアンテナ部２を介してリーダライタβとの間で情報授受可能に構成されて、予め設定された所定の動作を行うよう機能構成されるとよい。
【００４２】
加えて、ＩＣカードαには、リーダライタβから発せられる磁界を継続的に検知する磁界検出部６と、磁界の磁界強度が予め設定された値を超えたか否かを判定する機能手段と、この判定に基づきスイッチ手段５に対して制御信号７ａ，７ｂを発信する機能手段とを具備したスイッチ制御部７とを有して構成される。
【００４３】
ここで、スイッチ制御部７が具備する制御信号７ａ，７ｂを発信する機能手段は、補助電源部４からＩＣチップ１の電源端子１Ａに向けて補助電源電圧４ａの放電のＯＮ／ＯＦＦを切り替える放電信号７ａ（ＯＮ／ＯＦＦ信号）の発信と、電源部３からＩＣチップ１の電源端子１Ａへの電源電圧３ａの供給のＯＮ／ＯＦＦを切り替える充電信号７ｂ（ＯＮ／ＯＦＦ信号）とを発信可能な機能手段を有して構成される。
【００４４】
続いて、スイッチ手段５は、ＩＣカードαとリーダライタβとが十分接近してＩＣチップ１への電力供給が開始される以前には、電源部３と補助電源部４とＩＣチップ１の電源端子１Ａとの接続を切断するＯＦＦ状態により制御信号７ａ，７ｂを待機するよう機能構成される。
【００４５】
また、スイッチ手段５は、例えば、補助電源部４とＩＣチップ１の電源端子１Ａとの間に接続配置されて、スイッチ制御部７からＯＮを指示する放電信号７ａを受信した際には、ＩＣチップ１の電源端子１Ａとの接続を行う機能手段と、スイッチ制御部７からＯＦＦを指示する放電信号７ａを受信した際には、ＩＣチップ１の電源端子１Ａとの接続を切断する機能手段とを具備する放電側スイッチ５Ａを有して構成される。
【００４６】
さらに、スイッチ手段５は、放電側スイッチ５Ａとは別に、電源部３と補助電源部４と放電側スイッチ５Ａとの間に接続配置されて、スイッチ制御部７からＯＮを指示する充電信号７ｂを受信した際には、放電側スイッチ５Ａとの接続を行う機能手段と、スイッチ制御部７からＯＦＦを指示する充電信号７ｂを受信した際には、放電側スイッチ５Ａとの接続を切断する機能手段とを具備する充電側スイッチ５Ｂを有して構成される。
【００４７】
一方、磁界検出部６は、リーダライタβの発する磁界によりアンテナ部２にて誘起される電圧により、この磁界の磁界強度に対応する検出電圧６ａを、例えば、継続的に、スイッチ制御部７に出力する機能手段を具備して構成されて、検出電圧６ａと電源電圧３ａは、ともにリーダライタβの磁界による誘起された電圧に基づくものであることから、例えば、相互に比例関係を持つように出力するよう機能構成されるとよい。
【００４８】
他方、スイッチ制御部７は、磁界検出部６から検出電圧６ａを、例えば、継続的に入力計測して、この検出電圧６ａが、例えば、ＩＣカードαとリーダライタβとが接近し、リーダライタβの磁界からＩＣチップ１を動作させるのに十分な電力を供給可能となる以前の任意の距離等である、ＩＣカードαとリーダライタβとの間の距離に基づき、予め任意に設定された動作開始検出電圧を超えたか否かを判定する機能手段を具備して構成される。
【００４９】
また、スイッチ制御部７は、継続的に検出電圧６ａを入力計測するとともに、補助電源部４から補助電源電圧４ａを継続的に入力計測する機能手段と、入力された検出電圧６ａの値を電源部３において出力可能な電源電圧３ａの値と対応する機能手段と、ＯＮを指示する放電信号７ａを放電側スイッチ５Ａに発信して、ＩＣチップ１に補助電源電圧４ａの放電が開始された後に、電源部３から出力可能となった電源電圧３ａが、補助電源電圧４ａの値に基づき予め設定された条件を満たすことを検出電圧６ａの値に基づき対応させて検知したときに、充電側スイッチ５ＢにＯＮを指示する充電信号７ｂを発信して電源電圧３ａのＩＣチップ１への供給を開始させる機能手段とを具備して構成される。
【００５０】
ここで、充電信号７ｂを発信して電源電圧３ａのＩＣチップ１への供給を開始させる機能手段は、補助電源電圧４ａの値に基づき予め設定された条件として、電源部３の電源電圧３ａが補助電源電圧４ａ以上であるか事前に判定する機能手段と、この判定を満たしたときに、充電側スイッチ５ＢにＯＮを指示する充電信号７ｂを発信する機能手段とを具備して構成されるとよい。
【００５１】
また、スイッチ制御部７は、ＩＣカードαとリーダライタβとの間の距離が、ＩＣチップ１の動作可能電圧に達した距離よりもさらに接近して、電源部３の電源電圧３ａのうち、ＩＣチップ１の動作により消費されるＩＣチップ１の動作可能電圧以上の余剰電圧３ａ´が発生したときに、ＩＣチップ１の動作可能電圧を充電側スイッチ５Ｂと放電側スイッチ５Ａとを経由させてこのＩＣチップ１に引続き供給するとともに、余剰電圧３ａ´を充電側スイッチ５Ｂを経由させて補助電源部４に供給して、余剰電圧３ａ´により補助電源部４を充電可能とする充電信号７ｂを充電側スイッチ５Ｂに発信する機能手段を具備する。
【００５２】
スイッチ制御部６は、一方、補助電源部４が電源部３からこの余剰電圧３ａ´により充電されるときに、補助電源部４への余剰電圧３ａ´による充電とともに、ＩＣチップ１の電源端子１Ａへ補助電源電圧４ａを放電可能とする放電信号７ａを放電側スイッチ５Ａに保持する機能手段を具備するとよい。
【００５３】
さらに、スイッチ制御部７は、電源部３の電源電圧３ａが、補助電源部４の補助電源電圧４ａを下回ったときに、この電源部３からの電源電圧３ａの供給を停止するよう充電側スイッチ５Ｂに充電信号７ｂのＯＦＦ信号を発信する機能手段を具備して構成されて、このとき、ＩＣチップ１の電源端子１Ａに対する電力の供給は、補助電源部４からの補助電源電圧４ａの放電のみとなる。
【００５４】
加えて、スイッチ制御部７は、ＩＣチップ１から、ＩＣチップ１所定の処理が終了した際に発信されたＩＣチップ処理終了信号１ａを受信する機能手段と、ＩＣチップ処理終了信号１ａの受信に基づき、放電側スイッチ５Ａに、補助電源部４からの補助電源電圧４ａのＩＣチップ１の電源端子１Ａへの放電を停止させるＯＦＦを指示する放電信号７ａの、例えばＯＦＦ信号を発信する機能手段とを具備するよう構成されるとよい。
【００５５】
したがって、スイッチ制御部７は、磁界検出部６から出力される検出電圧６ａと、補助電源部４の補助電源電圧４ａの値と、ＩＣチップ１からの処理終了信号１ａとを入力してもよく、以上の入力に基づき、放電側スイッチ５Ａ及び充電側スイッチ５Ｂとに制御信号７ａ，７ｂとを発信して、スイッチ手段のＯＮ／ＯＦＦ制御を行うよう機能構成されるとよい。
【００５６】
このとき、放電側スイッチ５Ａは、例えば、リーダライタβにＩＣカードαを接近させたときに、磁界検出部６にて検出された磁界強度に依存する検出電圧６ａが予め設定された動作開始検出電圧を超えたときにＯＮとなり、ＩＣチップ１の、例えば、アンテナ部２とを介したリーダライタβとの間の通信等の処理が終了したときにＯＦＦとなるよう機能構成される。
【００５７】
一方、充電側スイッチ５Ｂは、例えば、電源部３から出力可能な電源電圧３ａが、補助電源電圧４ａ以上となったときにＯＮとなり、以下となったときにＯＦＦとなるよう機能構成されて、従来のＩＣカードとリーダライタβとの間の通信可能距離より遠い地点において、放電側スイッチ５ＡがＯＮとなるように動作開始検出電圧を設定することで、補助電源電圧４ａをＩＣチップ１の電源端子１Ａに供給することで通信可能距離を伸ばすことができる。
【００５８】
さらに、ＩＣチップ１の所定の処理が終了した後に、放電側スイッチ５ＡをＯＦＦとするため、補助電源部４に補助電源電圧４ａを保持したままとすることが可能となり、次回、ＩＣカードαを動作させるときに、補助電源部４を改めて充電することなく、補助電源部４に蓄えられた補助電源電圧４ａにより、ＩＣチップ１にすぐ電力を供給することが可能となる。
【００５９】
なお、本装置例におけるアンテナ部２は、例えば、アンテナコイル等により構成されて、リーダライタβとＩＣチップ１との間の通信を行うためのアンテナとして機能構成されるとともに、リーダライタβが発する磁界により電圧を誘起させて、誘起された電圧を電源部３と磁界検出部６とに供給するよう機能構成されるとよい。
【００６０】
また、本装置例におけるＩＣカードαは、ハードウェア的に連続制御可能に機能構成されるとよく、ＩＣチップ１、アンテナ部２、電源部３、補助電源部４、スイッチ手段５、磁界検出部６、スイッチ制御部７のそれぞれをプロセッサにより構成して当該プロセッサ間通信を行うものに限定されるものではない。
【００６１】
（方法例）
続いて、以上のように構成された装置例により実施されるＩＣカード電力制御方法の具体例を説明する。
【００６２】
まず、図２は、本発明の方法例に適用されるＩＣカード電力制御方法における補助電源電圧の放電の開始を説明するためのシーケンス図である。
【００６３】
同図に示すように、本方法例では、ＩＣカードαにおいてリーダライタβとの間で通信を行うにあたり、まず、磁界検出部６において、リーダライタβから発せられる磁界をアンテナ部２を介して入力されて（ＳＴ１）、例えば、この磁界の磁界強度に対応する検出電圧６ａをスイッチ制御部７に出力し（ＳＴ２）、検出電圧６ａを継続的に計測することで、ＩＣカードαにおいて、リーダライタβとの間の距離に基づき変化する磁界の検知を行う。
【００６４】
次に、検出電圧６ａが入力されたスイッチ制御部７において、この磁界の磁界強度に基づく検出電圧６ａが予め設定された値を超えたか否かを、例えば、磁界強度に対応して出力された検出電圧６ａが、ＩＣカードαとリーダライタβとの間の距離に基づき予め任意に設定された動作開始検出電圧「Ａ」を超えたか否かにより判定する（ＳＴ３）。
【００６５】
ここで、継続的に入力された検出電圧６ａが動作開始検出電圧「Ａ」以上と判定したときに、放電側スイッチ５Ａに放電信号７ａの、例えば補助電源部４とＩＣチップ１の電源端子１Ａを接続するよう命令するＯＮ信号を発信して（ＳＴ４）、ＯＮ信号を受信した放電側スイッチ５Ａが、例えば、補助電源部４とＩＣチップ１の電源端子１Ａとを接続する（ＳＴ５）等により、一次的に補助電源部４から補助電源電圧４ａをＩＣチップ１の電源端子１Ａへの放電を開始して（ＳＴ６）、例えば、アンテナ部２を介してリーダライタβとの間で通信を行う等のＩＣチップの所定の動作を開始させる（ＳＴ７）。
【００６６】
次に、図３は、本発明の方法例に適用されるＩＣカード電力制御方法における補助電源電圧放電開始後の電源電圧の供給開始を説明するためのシーケンス図であり、補助電源部４は、図２に示したＳＴ６によりＩＣチップ１の電源端子１Ａに補助電源電圧４ａの放電を開始している状態にあることを示している。
【００６７】
同図に示すように、まず、図２に示したＳＴ１及びＳＴ２と同様にして、磁界検出部６にてアンテナ部２で受信したリーダライタβの発する磁界の磁界強度を検知して（ＳＴ１１）、スイッチ制御部７に向けて、この磁界強度に対応する検出電圧６ａを出力する（ＳＴ１２）。
【００６８】
ここで、スイッチ制御部７は、ＳＴ１２の、例えば、継続的に行う検出電圧６ａの計測とともに、補助電源電圧４ａの計測も継続的に行い（ＳＴ１３）、続いて、ＳＴ１２にて出力された検出電圧６ａの値を電源部３において出力可能な電源電圧３ａの値（例えば「Ｂ」とする）と対応させて、電源電圧３ａの値「Ｂ」が、補助電源電圧４ａの値に基づき予め設定されたＩＣチップ動作可能電圧に達したときに、電源電圧の供給を行う。
【００６９】
補助電源電圧４ａの値に基づき予め設定されたＩＣチップ動作可能電圧を満たすか否かの判定は、例えば、このときＳＴ１３にて計測された補助電源電圧４ａの値は「Ｃ」であったとすると、電源電圧３ａの値「Ｂ」が補助電源電圧４ａの値「Ｃ」以上であるかを判定することで行い（ＳＴ１４）、ＳＴ１４にて、「Ｂ」≧「Ｃ」を満たす場合には、スイッチ制御部７から充電側スイッチ５Ｂに向けて充電信号７ｂとして、例えば、電源部３とＩＣチップ１とを接続する命令としてのＯＮ信号を発信する（ＳＴ１５）。
【００７０】
なお、ＳＴ１４では、電源電圧３ａの値「Ｂ」と補助電源電圧４ａ「Ｃ」の値を比較して、ＩＣチップ動作可能電圧を補助電源電圧４ａの値「Ｃ」とするものであるが、ＩＣチップ動作可能電圧は予め設定された固定の電圧値であっても構わない。
【００７１】
引続き、充電信号７ｂのＯＮ信号を受信した充電側スイッチ５Ｂにおいて、例えば、電源部３とＩＣチップ１の電源端子１Ａとを接続するように切り替えをなし（ＳＴ１６）、ＩＣチップ１の電源端子１Ａと接続された電源部３において、ＩＣチップ１の電源端子１Ａに向けて、二次的に電源電圧３ａの供給を開始する（ＳＴ１７）。
【００７２】
ここで、ＳＴ１７の電源電圧３ａの供給の開始以後に、ＩＣカードαとリーダライタβとの間の距離が、ＩＣチップ動作可能電圧に達した距離よりもさらに接近して、電源部３において、電源電圧３ａのうち、ＩＣチップ１の動作により消費されるＩＣチップ動作可能電圧以上の余剰電圧３ａ´が発生した（ＳＴ１８）ときには、余剰電圧３ａ´を補助電源部４に供給して、余剰電圧３ａ´により補助電源部４を充電する（ＳＴ１９）ようにするとよい。
【００７３】
このとき、補助電源部４は、ＳＴ６に示したＩＣチップ１の電源端子１Ａへの補助電源電圧４ａの放電とともに、ＳＴ１９に示した電源部３から供給される余剰電圧３ａ´による充電を合せ行うとよく、ＩＣチップ１に放電する電力と比較して、電源部３から充電される電力が大きくなると、その電力の充放電の総和により全体として充電されることとなる。
【００７４】
続いて、図４は、本発明の方法例に適用されるＩＣカード電力制御方法における電源電圧供給開始後の電源電圧の供給停止を説明するためのシーケンス図であり、補助電源部４は、図２に示したＳＴ６によりＩＣチップ１の電源端子１Ａに補助電源電圧４ａの放電を継続しており、一方、電源部３は、図３に示したＳＴ１７乃至ＳＴ１９により電源電圧３ａを供給している状態にあることを示している。
【００７５】
同図に示すように、まず、図２及び又は図３に示したＳＴ１，ＳＴ１１及びＳＴ２，ＳＴ２２と同様にして、磁界検出部６にてアンテナ部２で受信したリーダライタβの発する磁界の磁界強度を検知して（ＳＴ２１）、スイッチ制御部７に向けて、この磁界強度に対応する検出電圧６ａを出力する（ＳＴ２２）。
【００７６】
また、図３に示したＳＴ１３と同様にして、スイッチ制御部７は、ＳＴ２２の、例えば、継続的に行う検出電圧６ａの計測とともに、補助電源電圧４ａの計測も継続的に行い（ＳＴ２３）、続いて、ＳＴ１４と同様にして、ＳＴ２２にて出力された検出電圧６ａの値を電源部３において出力可能な電源電圧３ａの値（例えば「Ｂ´」とする）と対応させて、電源電圧３ａの値「Ｂ´」が、補助電源電圧４ａの値に基づき予め設定されたＩＣチップ動作可能電圧の、例えば、ＳＴ２３にて計測した補助電源電圧４ａの値「Ｃ´」を下回ったか否か判断する（ＳＴ２４）。
【００７７】
ＳＴ２４において、例えば、「Ｂ´」＜「Ｃ´」を満たす場合には、充電側スイッチ５Ｂに向けて充電信号８として、例えば、電源部３とＩＣチップ１の電源端子１Ａとの接続を切断するよう命令するＯＦＦ信号を発信する（ＳＴ２５）ことにより、充電側スイッチ５Ｂにおいて、電源部３とＩＣチップ１の電源端子１Ａとの接続を切断するように切り替えて（ＳＴ２６）、電源部３からの電源電圧３ａ及び余剰電圧３ａ´の供給を停止する。
【００７８】
引続き、図５は、本発明の方法例に適用されるＩＣカード電力制御方法における補助電源電圧放電開始後の放電停止を説明するためのシーケンス図であり、補助電源部４は、図２に示したＳＴ６によりＩＣチップ１の電源端子１Ａに補助電源電圧４ａの放電を継続している状態にあり、また、ＩＣチップ１は、ＳＴ７等により電源電圧３ａあるいは補助電源電圧４ａが供給されて動作を開始している状態にあることを示している。
【００７９】
まず、アンテナ部２を介したリーダライタβとの通信等の、予め設定された所定の処理を終了したＩＣチップ１は、その処理の終了（ＳＴ３１）とともに、処理終了信号１ａをスイッチ制御部７に発信する（ＳＴ３２）一方、この処理終了信号１ａを受信したスイッチ制御部７は、放電側スイッチ５Ａに向けて放電信号７ａを、例えば、補助電源部４とＩＣチップ１の電源端子１Ａとの接続を切断するように切り替えを命令するＯＦＦ信号を発信する（ＳＴ３３）。
【００８０】
ＳＴ３３により放電信号７ａ（ＯＦＦ信号）を受信した放電側スイッチ５Ａは、補助電源部４とＩＣチップ１の電源端子１Ａとの接続を切断するように切り替えて（ＳＴ３４）、補助電源部４は、ＩＣチップ１の電源端子１への補助電源電圧４ａの放電を停止する。
【００８１】
最後に、図６は、本発明の方法例に適用されるＩＣカード電力制御方法のＩＣカードとリーダライタとを接近させた後に離す場合におけるＩＣカードの一動作タイミング例を説明するための図である。
【００８２】
同図に示すように、横軸が時間経過、縦軸が各部の電圧を表すものとし、Ｔ１は、図２に示したＳＴ５の補助電源電圧４ａの放電の開始に、Ｔ２は、図３に示したＳＴ１６の電源電圧３ａの供給の開始及びＳＴ１８の余剰電圧３ａ´による補助電源部４の充電の開始に、Ｔ３は、図４に示したＳＴ２６の電源電圧３ａの供給の停止に、そして、Ｔ４は、図５に示したＳＴ３４の補助電源電圧４ａの放電の停止にそれぞれ対応する時間経過を示している。
【００８３】
電源部３の電圧はＩＣカードαとリーダライタβとの距離に応じて、例えば電源電圧３ａのように変化する。一方、補助電源部４の端子電圧は、補助電源電圧４ａのように変化し、他方、磁界検出部６にて検出されるリーダライタβが発する磁界の磁界強度の変化は、例えば、電源部３の電源電圧３ａに比例して検出電圧６ａのように変化する。
【００８４】
まず、磁界検出部６の検出電圧６ａが動作開始検出電圧の値「Ａ」以上となったＴ１で放電側スイッチ５ＡをＯＮとし、このときに電源部３にて発生する電源電圧３ａは、ＩＣチップ１の動作に必要なＩＣチップ動作可能電圧の値「Ｃ」には達していないものであるが、代わりに補助電源部４の補助電源電圧４ａからＩＣチップ１の電源端子１Ａに電力を供給することにより、ＩＣチップ１は動作可能となり、Ｔ１の後、補助電源部４は放電のため、補助電源電圧４ａを徐々に下げる。
【００８５】
次に、ＩＣカードαがリーダライタβに十分接近して、電源部３からの電源電圧３ａの供給が可能となるＴ２からＴ３の間、充電側スイッチ５ＢをＯＮとして、電源電圧３ａをＩＣチップ１の電源端子１Ａに供給するものであるが、電源電圧３ａのうち、ＩＣチップ１を動作させるのに必要な電圧以上の、例えば、ＩＣチップ動作可能電圧の値「Ｃ」以上の余剰電圧３ａ´は、補助電源部４に充電されて、ここで、補助電源部４の補助電源電圧４ａの回復を行う。
【００８６】
続いて、ＩＣチップ１の所定の処理が終了したＴ４で放電側スイッチ５ＡをＯＦＦとすることにより、補助電源部４は、完全に放電してしまうことなく、補助電源電圧４ａは一定に保たれたまま、次回の動作までその電力を保持することができる。
【００８７】
なお、本方法例に示したＩＣカードαの処理動作は、例えば、ＩＣカードα上において各構成部間で通信を行うことなく、ハードウェア的に連続制御するとよい。
【００８８】
以上、本発明の実施形態につき、その装置例及びこれに対応する方法例を挙げて説明したが、本発明は、必ずしも上述した手段及び手法にのみ限定されるものではなく、例えば、ＲＦタグ（ＲＦ：Ｒａｄｉｏ  Ｆｒｅｑｕｅｎｃｙ）への実施等、前述の効果を有する範囲内において、適宜、変更実施することが可能なものである。
【図面の簡単な説明】
【００８９】
【図１】本発明の装置例に係るＩＣカードの内部構成図である。
【図２】本発明の方法例に適用されるＩＣカード電力制御方法における補助電源電圧の放電の開始を説明するためのシーケンス図である。
【図３】本発明の方法例に適用されるＩＣカード電力制御方法における補助電源電圧放電開始後の電源電圧の供給開始を説明するためのシーケンス図である。
【図４】本発明の方法例に適用されるＩＣカード電力制御方法における電源電圧供給開始後の電源電圧の供給停止を説明するためのシーケンス図である。
【図５】本発明の方法例に適用されるＩＣカード電力制御方法における補助電源電圧放電開始後の放電停止を説明するためのシーケンス図である。
【図６】本発明の方法例に適用されるＩＣカード電力制御方法のＩＣカードとリーダライタとを接近させた後に離す場合におけるＩＣカードの一動作タイミング例を説明するための図である。
【符号の説明】
【００９０】
α…ＩＣカード
β…リーダライタ
１…ＩＣチップ
１Ａ…電源端子
１ａ…処理終了信号
２…アンテナ部
３…電源部
３ａ…電源電圧
３ａ´…余剰電圧
４…補助電源部
４ａ…補助電源電圧
５…スイッチ手段
５Ａ…放電側スイッチ
５Ｂ…充電側スイッチ
６…磁界検出部
６ａ…検出電圧
７…スイッチ制御部
７ａ…放電信号（ＯＮ／ＯＦＦ信号）
７ｂ…充電信号（ＯＮ／ＯＦＦ信号）
【図１】
2005050130.tif 000003
【図２】
2005050130.tif 000004
【図３】
2005050130.tif 000005
【図４】
2005050130.tif 000006
【図５】
2005050130.tif 000007
【図６】
2005050130.tif 000008